(57)【要約】【課題】映像処理装置が、表示画面と異なるアスペクト比を有するコンテンツを表示させる際に生じる無画部を有効に利用することを可能とする。【解決手段】アスペクト比が１６：９であるモニタ２０の表示画面に、映像を表示させる処理を行う映像処理装置１０は、アスペクト比が４：３である表示領域の中心が、表示画面の左右いずれか一方の端部に寄るように第１の表示領域を設定する第１の表示領域設定部と、第１の表示領域が寄る一方の端部ではない他方の端部側の無画部に第２の表示領域を設定する第２の表示領域設定部と、第１の表示領域に第１の映像を表示し、第２の表示領域に第２の映像を表示する表示処理部とを具備する。【選択図】図１
2011135308.tif 000002
【特許請求の範囲】
【請求項１】
横に対する縦の比が第１の値である表示部に、映像を表示させる処理を行う映像処理装置であって、
横に対する縦の比が前記第１の値よりも大きい第２の値である第１の表示領域の中心が、前記表示部の左右いずれか一方の端部に寄るように前記第１の表示領域を設定する第１の表示領域設定部と、
前記第１の表示領域が寄る前記一方の端部ではない他方の端部側の無画部に第２の表示領域を設定する第２の表示領域設定部と、
前記第１の表示領域に第１の映像を表示し、前記第２の表示領域に第２の映像を表示する表示処理部とを具備する映像処理装置。
【請求項２】
前記表示処理部は、元の映像の横に対する縦の比が、前記第２の値になるように前記元の映像を加工して前記第１の映像を生成する請求項１に記載の映像処理装置。
【請求項３】
前記表示処理部は、前記元の映像を左右両端部から所定幅分削除する請求項２に記載の映像処理装置。
【請求項４】
前記表示処理部は、前記元の映像を上下に伸張させ、かつ前記元の映像の中心部の伸張率より上下両端部の伸張率を高くする請求項２に記載の映像処理装置。
【請求項５】
前記第１の映像と前記第２の映像とを入れ替える第１の入れ替え部を具備する請求項１乃至４のいずれかに記載の映像処理装置。
【請求項６】
前記表示処理部は、前記第２の表示領域に複数の前記第２の映像を表示する請求項１乃至４のいずれかに記載の映像処理装置。
【請求項７】
前記第２の映像のいずれかと前記第２の映像の他のいずれかとを入れ替える第２の入れ替え部を具備する請求項６に記載の映像処理装置。
【発明の詳細な説明】
【技術分野】
【０００１】
本発明は、表示装置の表示画面に映像を表示させる映像処理装置に関する。
【背景技術】
【０００２】
近年、地上デジタル放送の普及等に伴い、テレビ受像機等の表示装置が有する表示画面のアスペクト比の標準が従来の４：３から１６：９に移行しつつある。
【０００３】
しかしながら、アスペクト比が４：３である放送コンテンツも未だに多数存在する。
【０００４】
そこで、当該放送コンテンツを、表示画面のアスペクト比が１６：９である表示装置で表示する技術が提案されている（例えば、特許文献１参照）。
【先行技術文献】
【特許文献】
【０００５】
【特許文献１】特開平１０−１５０６１４号公報
【発明の概要】
【発明が解決しようとする課題】
【０００６】
上述した技術では、表示装置に接続された映像処理装置が、放送コンテンツのアスペクト比を維持しつつ、当該放送コンテンツの縦幅を当該表示装置が有する表示画面の縦幅と同じくし、当該コンテンツの中心と当該表示画面の中心とが重なるようにすることにより、表示装置と異なるアスペクト比を有する放送コンテンツの表示を可能としている。
【０００７】
しかしながら、その結果として、当該放送コンテンツの左右に無駄な領域である無画部ができてしまう。
【０００８】
上記問題点に鑑み、本発明は、映像処理装置が、表示画面と異なるアスペクト比を有するコンテンツを表示させる際に生じる無画部を有効に利用することを目的とする。
【課題を解決するための手段】
【０００９】
上述した課題を解決するために、本発明は以下のような特徴を有している。
【００１０】
本発明の特徴は、横に対する縦の比が第１の値である表示部（モニタ２０）に、映像を表示させる処理を行う映像処理装置（映像処理装置１０）であって、横に対する縦の比が前記第１の値よりも大きい第２の値である第１の表示領域の中心が、前記表示部の左右いずれか一方の端部に寄るように前記第１の表示領域を設定する第１の表示領域設定部（第１の表示領域設定部１０５）と、前記第１の表示領域が寄る前記一方の端部ではない他方の端部側の無画部に第２の表示領域を設定する第２の表示領域設定部（第２の表示領域設定部１０７）と、前記第１の表示領域に第１の映像を表示し、前記第２の表示領域に第２の映像を表示する表示処理部（映像加工部１０３、表示処理部１０９）とを具備することを要旨とする。
【００１１】
このような映像処理装置によれば、横に対する縦の比が表示部よりも大きい映像を表示させる際に生じる無画部を有効に利用することができる。
【００１２】
本発明の特徴は、前記表示処理部は、元の映像の横に対する縦の比が、前記第２の値になるように前記元の映像を加工して前記第１の映像を生成することを要旨とする。
【００１３】
本発明の特徴は、前記表示処理部は、前記元の映像を左右両端部から所定幅分削除することを要旨とする。
【００１４】
本発明の特徴は、前記表示処理部は、前記元の映像を上下に伸張させ、かつ前記元の映像の中心部の伸張率より上下両端部の伸張率を高くすることを要旨とする。
【００１５】
本発明の特徴は、前記第１の映像の表示領域と前記第２の映像の表示領域とを入れ替える第１の入れ替え部（入れ替え部１１１）を具備することを要旨とする。
【００１６】
このような映像処理装置によれば、映像処理装置１０は、利用者の操作に応じて、モニタ２０の表示画面上の第１の表示領域に表示された映像等と第２の表示領域に表示された映像等とを入れ替えることができるため、第２の表示領域に表示された映像等を、利用者が望むタイミングで拡大することができる。
【００１７】
本発明の特徴は、前記表示処理部は、前記第２の表示領域に複数の前記第２の映像を表示することを要旨とする。
【００１８】
本発明の特徴は、前記第２の映像のいずれかと前記第２の映像の他のいずれかとを入れ替える第２の入れ替え部（入れ替え部１１１）を具備することを要旨とする。
【発明の効果】
【００１９】
本発明によれば、映像処理装置が、表示画面と異なるアスペクト比を有するコンテンツを表示させる際に生じる無画部を有効に利用することが可能となる。
【図面の簡単な説明】
【００２０】
【図１】本発明の実施形態に係る通信システム１の全体概略構成図である。
【図２】本発明の実施形態に係る映像処理装置１０の構成図である。
【図３】本発明の実施形態に係るモニタ２０の第１の表示画面である。
【図４】本発明の実施形態に係るモニタ２０の第２の表示画面である。
【図５】本発明の実施形態に係るモニタ２０の第３の表示画面である。
【図６】本発明の実施形態に係るモニタ２０の第４の表示画面である。
【図７】本発明の実施形態に係る映像処理装置１０の動作を示すフローチャートである。
【発明を実施するための形態】
【００２１】
次に、図面を参照して、本発明の実施形態を説明する。具体的には、（１）通信システムの全体概略構成、（２）映像処理装置の構成、（３）映像処理装置の動作、（４）作用・効果、（５）その他の実施形態について説明する。以下の実施形態における図面の記載において、同一又は類似の部分には同一又は類似の符号を付している。
【００２２】
（１）通信システムの全体概略構成
図１は、本発明の実施形態に係る通信システム１の全体概略構成図である。
【００２３】
図１に示すように、通信システム１は、映像処理装置１０と、モニタ２０と、地上デジタル放送放送局３０と、ウェブサーバ４０と、インターネット、ＬＡＮ等のネットワーク５０とを含む。
【００２４】
映像処理装置１０は、地上デジタル放送放送局３０からＭＰＥＧ２−ＴＳストリームを受信する。また、映像処理装置１０は、ネットワーク５０を介して、ウェブサーバ４０に、ｈｔｍｌやｊｐｅｇなどにより構成されるウェブコンテンツを要求し、ウェブサーバ４０からウェブコンテンツを受信する。映像処理装置１０は、モニタ２０の表示画面の特定位置に、受信したＭＰＥＧ２−ＴＳストリームに係る映像等のための表示領域を設定し、モニタ２０の表示画面に設定された当該表示領域に映像等を表示させる。
【００２５】
モニタ２０は、映像処理装置１０が受信したＭＰＥＧ２−ＴＳストリームに係る映像等を表示したり、後述する操作Ｉ／Ｆ５００における操作内容を表示したりする。また、モニタ２０の表示画面のアスペクト比は１６：９である。なお、映像処理装置１０はモニタ２０に内蔵されていてもよい。
【００２６】
地上デジタル放送放送局３０はＭＰＥＧ２−ＴＳストリームを配信する。
【００２７】
ウェブサーバ４０は、ネットワーク５０を介して、映像処理装置１０からリクエストされた、ｈｔｍｌやｊｐｅｇなどにより構成されるウェブコンテンツを映像処理装置１０に送信する。
【００２８】
（２）映像処理装置の構成
図２は、本発明の実施形態に係る映像処理装置１０の構成図である。
【００２９】
映像処理装置１０は、制御部１００と、チューナー２００と、通信Ｉ／Ｆ３００と、ＡＶ（Ａｕｄｉｏ  Ｖｉｓｕａｌ）Ｉ／Ｆ４００と、操作Ｉ／Ｆ５００と、記憶装置６００とを含む。
【００３０】
制御部１００は、ＤＳＰ（Ｄｉｇｉｔａｌ  Ｓｉｇｎａｌ  Ｐｒｏｃｅｓｓｏｒ）とＣＰＵ（Ｃｅｎｔｒａｌ  Ｐｒｏｃｅｓｓｉｎｇ  Ｕｎｉｔ）とを含み、映像処理装置１０が具備する各種機能を制御する。
【００３１】
チューナー２００は、操作Ｉ／Ｆ５００を通じて、利用者によって選択された地上デジタル放送放送局３０から、ＭＰＥＧ２−ＴＳストリームを受信する。なお、本実施形態においては、チューナー２００は、無線信号を受信するが、有線信号を受信するものであってもよい。
【００３２】
通信Ｉ／Ｆ３００は、ウェブサーバ４０との間でネットワーク５０を介した通信を行う。なお、本実施形態においては、通信Ｉ／Ｆ３００は有線Ｉ／Ｆであるが無線Ｉ／Ｆであってもよい。
【００３３】
ＡＶＩ／Ｆ４００は、モニタ２０との間で専用線を介した通信を行う。
【００３４】
操作Ｉ／Ｆ５００は、映像処理装置１０自体に設けられたボタン等やリモートコントローラーなどによって構成され、利用者の操作内容を入力するために用いられるインターフェースである。また、操作Ｉ／Ｆ５００は、テンキーやファンクションキー又はモニタ２０に表示された文字列などを選択したりするポインティングデバイスであるマウスによって構成されていてもよい。
【００３５】
記憶装置６００は、例えばメモリによって構成され、映像処理装置１０における制御などに用いられる各種情報を記憶する。
【００３６】
制御部１００は、ＭＰＥＧ処理部１０１、映像加工部１０３、第１の表示領域設定部１０５、第２の表示領域設定部１０７、表示処理部１０９、入れ替え部１１１とを含む。
【００３７】
ＭＰＥＧ処理部１０１は、チューナー２００によって受信されたＭＰＥＧ２−ＴＳストリームの解析等を行う。また、ＭＰＥＧ処理部１０１は、ＭＰＥＧ２−ＴＳストリームのヘッダからアスペクト比と解像度情報とを抽出する。
【００３８】
映像加工部１０３は、ＭＰＥＧ２−ＴＳストリームのヘッダから抽出されたアスペクト比が１６：９であると判断した場合、当該ＭＰＥＧ２−ＴＳストリームに係る映像のアスペクト比を４：３に加工するために用いられるクリッピング範囲を求め、制御部１００のレジストリ（図示せず）に書き込む。
【００３９】
また、映像加工部１０３は、当該ＭＰＥＧ２−ＴＳストリームのヘッダから抽出された解像度情報に係る解像度を、当該ＭＰＥＧ２−ＴＳストリームに係る映像が当該クリッピング範囲に従って加工された場合の映像に対応する解像度に補正する。補正した当該解像度と、モニタ２０の表示画面における、後述する第１の表示領域に係る解像度とが異なる場合は、映像加工部１０３は、加工された場合の当該ＭＰＥＧ２−ＴＳストリームに係る映像を当該第１の表示領域に適切に表示するための伸縮率を求め、当該伸縮率を制御部１００のレジストリに書き込む。
【００４０】
あるいは、映像加工部１０３は、ＭＰＥＧ２−ＴＳストリームのヘッダから抽出されたアスペクト比が１６：９であると判断した場合、当該ＭＰＥＧ２−ＴＳストリームに係る映像のアスペクト比を４：３に加工するために用いられる伸張率を求め、制御部１００のレジストリに書き込む。なお、当該伸張率は、当該ＭＰＥＧ２−ＴＳストリームに係る映像のアスペクト比が４：３となるように当該映像を上下に伸張させるための伸張率であり、かつ当該映像の上下両端部を中心部よりも伸張させる伸張率である。
【００４１】
また、映像加工部１０３は、当該ＭＰＥＧ２−ＴＳストリームのヘッダから抽出された解像度情報に係る解像度を、当該ＭＰＥＧ２−ＴＳストリームに係る映像が当該伸張率に従って加工された場合の映像に対応する解像度に補正する。補正した当該解像度と、モニタ２０の表示画面における、後述する第１の表示領域に係る解像度とが異なる場合は、映像加工部１０３は、加工された場合の当該ＭＰＥＧ２−ＴＳストリームに係る映像を当該第１の表示領域に適切に表示するための伸縮率を求め、当該伸縮率を制御部１００のレジストリに書き込む。
【００４２】
第１の表示領域設定部１０５は、図３、図４又は図５に示すように、アスペクト比が４：３である第１の表示領域を、アスペクト比が１６：９であるモニタ２０の表示画面の左右いずれかの一方の端部に接するように設定する。具体的には、第１の表示領域設定部１０５は、制御部１００のレジストリに当該第１の表示領域を書き込む。ただし、第１の表示領域設定部１０５は、図６に示すように、当該第１の表示領域を、アスペクト比が１６：９であるモニタ２０の表示画面の左右いずれかの端部に寄せてはいるが、接していないように設定してもよい。
【００４３】
第２の表示領域設定部１０７は、図３、図４又は図５に示すように、第１の表示領域が接する、モニタ２０の表示画面の左右いずれか一方の端部ではない他方の端部側の無画部に第２の表示領域を設定する。具体的には、第２の表示領域設定部１０７は、制御部１００のレジストリに、当該第２の表示領域を書き込む。
【００４４】
表示処理部１０９は、チューナー２００が受信したＭＰＥＧ２−ＴＳストリームに係る映像と、通信Ｉ／Ｆ３００が受信した、ｈｔｍｌやｊｐｅｇなどにより構成されるウェブコンテンツとを、第１の表示領域設定部１０５よって設定された第１の表示領域と第２の表示領域設定部１０７よって設定された第２の表示領域とに表示させる。
【００４５】
具体的には、第１の表示領域設定部１０５によって制御部１００のレジストリに書き込まれた第１の表示領域に当該ＭＰＥＧ２−ＴＳストリームに係る映像を表示させる場合、表示処理部１０９は、図３（ａ）に示すように、映像加工部１０３によって制御部１００のレジストリに書き込まれた、クリッピング範囲と伸縮率、又は伸張率と伸縮率を用いて、当該ＭＰＥＧ２−ＴＳストリームに係る映像を加工し、当該第１の表示領域に表示させる。
【００４６】
一方、第１の表示領域に当該ウェブコンテンツに係るウェブブラウザの検索画面を表示させる場合、表示処理部１０９は、図４（ｂ）に示すように、第１の表示領域の大きさに合わせて、当該ウェブコンテンツに係るウェブブラウザの検索画面を表示させる。
【００４７】
また、第２の表示領域設定部１０７によって制御部１００のレジストリに書き込まれた第２の表示領域に当該ＭＰＥＧ２−ＴＳストリームに係る映像を表示させる場合、表示処理部１０９は、図４（ａ）に示すように、第２の表示領域内の任意の位置に、任意の大きさとアスペクト比で当該映像を表示させる。
【００４８】
一方、第２の表示領域に当該ウェブコンテンツに係るウェブブラウザの検索画面とウェブブラウザを用いて表示された番組情報とを表示させる場合、表示処理部１０９は、図３（ｂ）及び（ｃ）と図４（ｃ）とに示すように、第２の表示領域内の任意の位置に、任意の大きさと縦横比で、当該ウェブコンテンツに係るウェブブラウザの検索画面とウェブブラウザを用いて表示された番組情報とを表示させる。なお、第２の表示領域内に表示されたウェブブラウザの画面の縦横比は利用者の操作に応じて変更できてもよい。
【００４９】
入れ替え部１１１は、操作Ｉ／Ｆ５００における利用者の操作に応じて、図３（ａ）及び（ｂ）と図４（ａ）及び（ｂ）とに示すように、モニタ２０の表示画面上の第１の表示領域に表示されたＭＰＥＧ２−ＴＳストリームに係る映像と第２の表示領域に表示されたウェブコンテンツに係るウェブブラウザの検索画面とを入れ替える。具体的には、入れ替え部１１１は、第１の表示領域に対する映像等の割り当てと第２の表示領域の任意の位置に対する映像等の割り当てと変更後、表示処理部１０９に再処理を行わせる。
【００５０】
また、入れ替え部１１１は、図３（ｂ）及び（ｃ）と図５（ｂ）及び（ｃ）とに示すように、モニタ２０の表示画面上の第２の表示領域に表示されたウェブコンテンツに係るウェブブラウザの検索画面と第２の表示領域に表示されたウェブコンテンツに係るウェブブラウザを用いて表示された番組情報とを入れ替える。具体的には、入れ替え部１１１は、第２の表示領域の任意の位置に対する映像等の割り当てと第２の表示領域の他の任意の位置に対する映像等の割り当てと変更後、表示処理部１０９に再処理を行わせる。
【００５１】
なお、入れ替え部１１１は、操作Ｉ／Ｆ５００における利用者の操作に応じて、第１の表示領域が接するモニタ２０の表示画面の端部を一方から他方へ変更してもよい。
【００５２】
（３）映像処理装置の動作
次に、映像処理装置の動作を説明する。図７は、映像処理装置の動作を示すフローチャートである。
【００５３】
ステップＳ１０１において、チューナー２００は、地上デジタル放送放送局３０から、ＭＰＥＧ２−ＴＳストリームを受信する。ＭＰＥＧ処理部１０１は、チューナー２００によって受信されたＭＰＥＧ２−ＴＳストリームの解析等を行う。また、ＭＰＥＧ処理部１０１は、ＭＰＥＧ２−ＴＳストリームのヘッダからアスペクト比と解像度情報とを抽出する。一方、通信Ｉ／Ｆ３００は、操作Ｉ／Ｆ５００を通じて、ｈｔｍｌやｊｐｅｇなどにより構成されるウェブコンテンツを、ネットワーク５０を介して、ウェブサーバ４０から受信する。
【００５４】
ステップＳ１０３において、映像加工部１０３は、チューナー２００によって受信されたＭＰＥＧ２−ＴＳストリームのヘッダから抽出されたアスペクト比が１６：９であると判断した場合、当該ＭＰＥＧ２−ＴＳストリームに係る映像のアスペクト比を４：３に加工するために用いられるクリッピング範囲又は伸張率を求め、制御部１００のレジストリに書き込む。また、映像加工部１０３は、当該ＭＰＥＧ２−ＴＳストリームのヘッダから抽出された解像度情報に基づいて算出された、当該映像に適応される伸縮率を、制御部１００のレジストリに書き込む。
【００５５】
ステップＳ１０５において、第１の表示領域設定部１０５は、アスペクト比が４：３である第１の表示領域を、アスペクト比が１６：９であるモニタ２０の表示画面の左右いずれかの一方の端部に接するように設定する。
【００５６】
ステップＳ１０７において、第２の表示領域設定部１０７は、第１の表示領域が接する、モニタ２０の表示画面の左右いずれか一方の端部ではない他方の端部側の無画部に第２の表示領域を設定する。
【００５７】
ステップＳ１０９において、表示処理部１０９は、チューナー２００が受信したＭＰＥＧ２−ＴＳストリームに係る映像と、通信Ｉ／Ｆ３００が受信した、ｈｔｍｌやｊｐｅｇなどにより構成されるウェブコンテンツとを、第１の表示領域設定部１０５よって設定された第１の表示領域と第２の表示領域設定部１０７よって設定された第２の表示領域とに表示させる。
【００５８】
ステップＳ１１１において、入れ替え部１１１が、操作Ｉ／Ｆ５００から利用者の映像入れ替え要求を受信した場合、入れ替え部１１１は、モニタ２０の表示画面上の第１の表示領域に表示された映像等と第２の表示領域に表示された映像等とを入れ替える。または、入れ替え部１１１が、操作Ｉ／Ｆ５００から利用者の映像入れ替え要求を受信した場合、入れ替え部１１１は、モニタ２０の表示画面上の第２の表示領域に表示された複数の映像等のいずれかとモニタ２０の表示画面上の第２の表示領域に表示された複数の映像等の他のいずれかとを入れ替える。
【００５９】
（４）作用・効果
本発明の実施形態において、映像処理装置１０は、アスペクト比が４：３である第１の表示領域を、アスペクト比が１６：９であるモニタ２０の表示画面の左右いずれかの一方の端部に接するように設定し、第１の表示領域が接する、モニタ２０の表示画面の左右いずれか一方の端部ではない他方の端部側の無画部に第２の表示領域を設定する。
【００６０】
このような映像処理装置１０によれば、映像処理装置１０が、モニタ２０の表示画面と異なるアスペクト比を有する、ＭＰＥＧ２−ＴＳストリームに係る映像を加工したものを表示させる際に生じる無画部を有効に利用することができる。
【００６１】
また、映像処理装置１０は、クリッピング範囲を用いて、アスペクト比が１６：９である当該映像を、アスペクト比が４：３である映像になるよう加工するため、加工前の映像と比較した場合であっても、上下左右全方向に伸張されていない映像を表示させることができる。
【００６２】
また、映像処理装置１０は、当該映像の上下両端部を中心部よりも伸張させる伸張率を用いて、アスペクト比が１６：９である当該映像を、アスペクト比が４：３である映像になるよう加工する。一般的に、映像の視聴者は映像の中央を見るため、中心部は伸張率を小さく、端部は伸張率を大きくすることにより、伸張の違和感を減らすことができる。
【００６３】
また、映像処理装置１０は、利用者の操作に応じて、モニタ２０の表示画面上の第１の表示領域に表示された映像等と第２の表示領域に表示された映像等とを入れ替えることができるため、第２の表示領域に表示された映像等を、利用者が望むタイミングで拡大することができる。
【００６４】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６５】
上述した実施形態では、モニタ２０の表示画面のアスペクト比が１６：９であり, ＭＰＥＧ２−ＴＳストリームに係る映像を加工したもののアスペクト比が４：３であるが、これらはそれ以外のアスペクト比でもよい。
【００６６】
また、上述した実施形態では、モニタ２０の表示画面に表示されるコンテンツは、ＭＰＥＧ２−ＴＳストリームに係る映像を加工したものとウェブブラウザの検索画面とウェブブラウザを用いて表示された番組情報とであるが、これらに限られず、天気予報、文字放送、裏番組に係る映像コンテンツ、ＮＡＳ（Ｎｅｔｗｏｒｋ  Ａｔｔａｃｈｅｄ  Ｓｔｏｒａｇｅ）又はコンテンツサーバに保存された映像コンテンツなどでもよい。なお、アスペクト比を有するコンテンツは、ＭＰＥＧ２−ＴＳストリームに係る映像と同じ方法を用いて加工され、それ以外はウェブコンテンツと同じ方法で扱われる。
【００６７】
また、上述した実施形態では、第２の表示領域に表示されるコンテンツは２つであるが、１つ又は３つ以上でもよい。
【００６８】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００６９】
本発明の映像処理装置は、表示画面と異なるアスペクト比を有するコンテンツを表示させる際に生じる無画部を有効に利用することが可能であり、映像処理装置として有用である。
【符号の説明】
【００７０】
１…通信システム、１０…映像処理装置、２０…モニタ、３０…地上デジタル放送放送局、４０…ウェブサーバ、５０…ネットワーク、１０１…ＭＰＥＧ処理部、１０３…映像加工部、１０５…第１の表示領域設定部、１０７…第２の表示領域設定部、１０９…表示処理部、１１１…入れ替え部、２００…チューナー、３００…通信Ｉ／Ｆ、４００…ＡＶＩ／Ｆ、５００…操作Ｉ／Ｆ、６００…記憶装置
【図１】
2011135308.tif 000003
【図２】
2011135308.tif 000004
【図３】
2011135308.tif 000005
【図４】
2011135308.tif 000006
【図５】
2011135308.tif 000007
【図６】
2011135308.tif 000008
【図７】
2011135308.tif 000009